(57)【特許請求の範囲】
【請求項１】
拡大共役側から順に、負の屈折力を有する第１レンズ群と、複数のレンズ群とからなり、各レンズ群間隔を変化させることによりズーミングを行う投射レンズであって、
前記第１レンズ群が、負の屈折力を有する第１ａレンズ群と、正又は負の屈折力を有する第１ｂレンズ群と、正又は負の屈折力を有する第１ｃレンズ群と、の３つの副群からなり、
ズーミングに際し、前記第１レンズ群が光軸上に固定であり、
遠距離側から近距離側へのフォーカシングに際し、第１ａレンズ群が光軸上に固定であり、第１ｂレンズ群と第１ｃレンズ群がそれぞれ別々の軌道で拡大共役側へ移動し、
遠距離側と近距離側の両方で以下の条件式（１）を満たすことを特徴とする投射レンズ；
−４．７＜ｆ１／ｆｗ＜−２．５  …（１）
ただし、
ｆ１：第１レンズ群の焦点距離、
ｆｗ：広角端における全系の焦点距離、
である。
【請求項２】
前記第１ｂレンズ群と前記第１ｃレンズ群のうちのいずれか一方のみが、正の屈折力を有し、かつ、正レンズ１枚と負レンズ１枚で構成されることを特徴とする請求項１記載の投射レンズ。
【請求項３】
前記第１ｂレンズ群及び前記第１ｃレンズ群が、以下の条件式（２）を満たすことを特徴とする請求項１又は２記載の投射レンズ；
０＜｜Σ（１／（ｆｎ×νｄｎ））×１０００｜≦０．３０５  …（２）
ただし、
ｆｎ：第１ｂレンズ群及び第１ｃレンズ群に含まれている単レンズの焦点距離、
νｄｎ：第１ｂレンズ群及び第１ｃレンズ群に含まれている単レンズのアッベ数、
である。
【請求項４】
前記第１ｂレンズ群及び前記第１ｃレンズ群が、以下の条件式（３）を満たすことを特徴とする請求項１〜３のいずれか１項に記載の投射レンズ；
０＜｜Σ（１／（ｆｎ×ｎｄｎ））×１０００｜≦１．３２  …（３）
ただし、
ｆｎ：第１ｂレンズ群及び第１ｃレンズ群に含まれている単レンズの焦点距離、
ｎｄｎ：第１ｂレンズ群及び第１ｃレンズ群に含まれている単レンズの屈折率、
である。
【請求項５】
以下の条件式（４）を満たすことを特徴とする請求項１〜４のいずれか１項に記載の投射レンズ；
２．５＜｜（ｆ１ｂ／ｆ１ｃ）×ｄｘ｜＜４．２  …（４）
ただし、
ｆ１ｂ：第１ｂレンズ群の焦点距離、
ｆ１ｃ：第１ｃレンズ群の焦点距離、
ｄｘ：フォーカシングにおける第１ｂレンズ群の移動量に対する第１ｃレンズ群の移動量の比、
である。
【請求項６】
画像光を形成する画像形成素子と、前記画像光を拡大投射する請求項１〜５のいずれか１項に記載の投射レンズと、を備えたことを特徴とするプロジェクター。
【発明の詳細な説明】
【技術分野】
【０００１】
本発明は変倍機能を有する投射レンズ及びプロジェクターに関するものであり、例えば、デジタル・マイクロミラー・デバイス(digital micromirror device)やＬＣＤ(liquid crystal display)等の画像表示素子の表示画像をスクリーンに拡大投影するのに適した広いフォーカスレンジを有する投射用ズームレンズと、それを備えたプロジェクターに関するものである。
【背景技術】
【０００２】
プロジェクター用の投射レンズとして好適なズームレンズが、特許文献１，２で提案されている。特許文献１に記載のズームレンズは、負負正負正正又は負負正負負正という負群先行の６群構成を有するものであり、特許文献２に記載のズームレンズは、負正負正正という負群先行の５群構成を有するものである。特許文献１に記載のズームレンズでは、第１レンズ群を一体的に移動させるフォーカス方式を採用している。それに対し、特許文献２に記載のズームレンズでは、複数の群を別々の軌道で移動させることによりフォーカシングを行う、いわゆるフローティングフォーカス方式を採用している。具体的には、第１レンズ群を３つの部分群に分割し、前方２つの群を別々の軌道で移動させることにより、収差変動を補正しながらフォーカシングを行う構成になっている。
【先行技術文献】
【特許文献】
【０００３】
【特許文献１】ＷＯ２０１４／１０４０８３  Ａ１
【特許文献２】特開平８−５９２１号公報
【発明の概要】
【発明が解決しようとする課題】
【０００４】
特許文献１に記載のズームレンズでは、投射距離の変化に際して軸上色収差や像面湾曲の変動を十分に補正することができず、広いフォーカスレンジに対応することが困難である。特許文献２に記載のズームレンズでは、径の大きい群を移動させることになるため、フォーカシングに掛かるトルクが増大し、フォーカス機構の耐久性に影響を与える可能性がある。また、特許文献１，２で提案されているフォーカス方式では、最も拡大側に位置するレンズ群を移動させることになるため、フォーカシングによりレンズ全長が変化し、結果としてフォーカス群を保持する機構の大型化につながるおそれがある。
【０００５】
本発明はこのような状況に鑑みてなされたものであって、その目的は、高精細の画像表示素子に対応可能な高い収差性能を広いフォーカスレンジで有するコンパクトな投射レンズと、それを備えたプロジェクターを提供することにある。
【課題を解決するための手段】
【０００６】
上記目的を達成するために、第１の発明の投射レンズは、拡大共役側から順に、負の屈折力を有する第１レンズ群と、複数のレンズ群とからなり、各レンズ群間隔を変化させることによりズーミングを行う投射レンズであって、
前記第１レンズ群が、負の屈折力を有する第１ａレンズ群と、正又は負の屈折力を有する第１ｂレンズ群と、正又は負の屈折力を有する第１ｃレンズ群と、の３つの副群からなり、
ズーミングに際し、前記第１レンズ群が光軸上に固定であり、
遠距離側から近距離側へのフォーカシングに際し、第１ａレンズ群が光軸上に固定であり、第１ｂレンズ群と第１ｃレンズ群がそれぞれ別々の軌道で拡大共役側へ移動し、
遠距離側と近距離側の両方で以下の条件式（１）を満たすことを特徴とする。
−４．７＜ｆ１／ｆｗ＜−２．５  …（１）
ただし、
ｆ１：第１レンズ群の焦点距離、
ｆｗ：広角端における全系の焦点距離、
である。
【０００７】
第２の発明の投射レンズは、上記第１の発明において、前記第１ｂレンズ群と前記第１ｃレンズ群のうちのいずれか一方のみが、正の屈折力を有し、かつ、正レンズ１枚と負レンズ１枚で構成されることを特徴とする。
【０００８】
第３の発明の投射レンズは、上記第１又は第２の発明において、前記第１ｂレンズ群及び前記第１ｃレンズ群が、以下の条件式（２）を満たすことを特徴とする。
０＜｜Σ（１／（ｆｎ×νｄｎ））×１０００｜≦０．３０５  …（２）
ただし、
ｆｎ：第１ｂレンズ群及び第１ｃレンズ群に含まれている単レンズの焦点距離、
νｄｎ：第１ｂレンズ群及び第１ｃレンズ群に含まれている単レンズのアッベ数、
である。
【０００９】
第４の発明の投射レンズは、上記第１〜第３のいずれか１つの発明において、前記第１ｂレンズ群及び前記第１ｃレンズ群が、以下の条件式（３）を満たすことを特徴とする。
０＜｜Σ（１／（ｆｎ×ｎｄｎ））×１０００｜≦１．３２  …（３）
ただし、
ｆｎ：第１ｂレンズ群及び第１ｃレンズ群に含まれている単レンズの焦点距離、
ｎｄｎ：第１ｂレンズ群及び第１ｃレンズ群に含まれている単レンズの屈折率、
である。
【００１０】
第５の発明の投射レンズは、上記第１〜第４のいずれか１つの発明において、以下の条件式（４）を満たすことを特徴とする。
２．５＜｜（ｆ１ｂ／ｆ１ｃ）×ｄｘ｜＜４．２  …（４）
ただし、
ｆ１ｂ：第１ｂレンズ群の焦点距離、
ｆ１ｃ：第１ｃレンズ群の焦点距離、
ｄｘ：フォーカシングにおける第１ｂレンズ群の移動量に対する第１ｃレンズ群の移動量の比、
である。
【００１１】
第６の発明のプロジェクターは、画像光を形成する画像形成素子と、前記画像光を拡大投射する上記第１〜第５のいずれか１つの発明に係る投射レンズと、を備えたことを特徴とする。
【発明の効果】
【００１２】
本発明によれば、フォーカス時の副群の動きや副群を構成する第１レンズ群の焦点距離等が適切に設定された構成になっているため、高精細の画像表示素子に対応可能な高い収差性能を広いフォーカスレンジで有するコンパクトな投射レンズと、それを備えたプロジェクターを実現することが可能である。
【図面の簡単な説明】
【００１３】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】実施例１の望遠端，近距離フォーカス時（ＥＸ１−Ｔ−Ｋ）の収差図。
【図６】実施例１の中間ポジション，近距離フォーカス時（ＥＸ１−Ｍ−Ｋ）の収差図。
【図７】実施例１の広角端，近距離フォーカス時（ＥＸ１−Ｗ−Ｋ）の収差図。
【図８】実施例１の望遠端，遠距離フォーカス時（ＥＸ１−Ｔ−Ｅ）の収差図。
【図９】実施例１の中間ポジション，遠距離フォーカス時（ＥＸ１−Ｍ−Ｅ）の収差図。
【図１０】実施例１の広角端，遠距離フォーカス時（ＥＸ１−Ｗ−Ｅ）の収差図。
【図１１】実施例２の望遠端，近距離フォーカス時（ＥＸ２−Ｔ−Ｋ）の収差図。
【図１２】実施例２の中間ポジション，近距離フォーカス時（ＥＸ２−Ｍ−Ｋ）の収差図。
【図１３】実施例２の広角端，近距離フォーカス時（ＥＸ２−Ｗ−Ｋ）の収差図。
【図１４】実施例２の望遠端，遠距離フォーカス時（ＥＸ２−Ｔ−Ｅ）の収差図。
【図１５】実施例２の中間ポジション，遠距離フォーカス時（ＥＸ２−Ｍ−Ｅ）の収差図。
【図１６】実施例２の広角端，遠距離フォーカス時（ＥＸ２−Ｗ−Ｅ）の収差図。
【図１７】実施例３の望遠端，近距離フォーカス時（ＥＸ３−Ｔ−Ｋ）の収差図。
【図１８】実施例３の中間ポジション，近距離フォーカス時（ＥＸ３−Ｍ−Ｋ）の収差図。
【図１９】実施例３の広角端，近距離フォーカス時（ＥＸ３−Ｗ−Ｋ）の収差図。
【図２０】実施例３の望遠端，遠距離フォーカス時（ＥＸ３−Ｔ−Ｅ）の収差図。
【図２１】実施例３の中間ポジション，遠距離フォーカス時（ＥＸ３−Ｍ−Ｅ）の収差図。
【図２２】実施例３の広角端，遠距離フォーカス時（ＥＸ３−Ｗ−Ｅ）の収差図。
【図２３】実施例４の望遠端，近距離フォーカス時（ＥＸ４−Ｔ−Ｋ）の収差図。
【図２４】実施例４の中間ポジション，近距離フォーカス時（ＥＸ４−Ｍ−Ｋ）の収差図。
【図２５】実施例４の広角端，近距離フォーカス時（ＥＸ４−Ｗ−Ｋ）の収差図。
【図２６】実施例４の望遠端，遠距離フォーカス時（ＥＸ４−Ｔ−Ｅ）の収差図。
【図２７】実施例４の中間ポジション，遠距離フォーカス時（ＥＸ４−Ｍ−Ｅ）の収差図。
【図２８】実施例４の広角端，遠距離フォーカス時（ＥＸ４−Ｗ−Ｅ）の収差図。
【図２９】プロジェクターの一実施の形態を示す模式図。
【発明を実施するための形態】
【００１４】
以下、本発明に係る投射レンズ，プロジェクター等を説明する。本発明の実施の形態に係る投射レンズは、拡大共役側から順に、負の屈折力を有する第１レンズ群と、複数のレンズ群とからなり、各レンズ群間隔を変化させることによりズーミングを行う、変倍機能を有する投射レンズである。この投射レンズを構成する変倍光学系としては、例えば、ズームレンズ，バリフォーカルレンズ等の焦点距離可変のレンズ系が挙げられる。また、変倍光学系の方向として「拡大共役側」や「縮小共役側」という表現を用いるが、「拡大共役側」は光学像を拡大してスクリーン等に投影する方向であり、その逆方向が「縮小共役側」、つまり元の光学像を表示する画像表示素子（例えば、デジタル・マイクロミラー・デバイス）が配置される方向である。
【００１５】
また、上記投射レンズでは、前記第１レンズ群が、負の屈折力を有する第１ａレンズ群と、正又は負の屈折力を有する第１ｂレンズ群と、正又は負の屈折力を有する第１ｃレンズ群と、の３つの副群からなり、ズーミングに際し、前記第１レンズ群が光軸上に固定であり、遠距離側から近距離側へのフォーカシングに際し、第１ａレンズ群が光軸上に固定であり、第１ｂレンズ群と第１ｃレンズ群がそれぞれ別々の軌道で拡大共役側へ移動し、遠距離側と近距離側の両方で以下の条件式（１）を満たすことを特徴としている。
−４．７＜ｆ１／ｆｗ＜−２．５  …（１）
ただし、
ｆ１：第１レンズ群の焦点距離、
ｆｗ：広角端における全系の焦点距離、
である。
【００１６】
上記投射レンズでは、負群リードのズーム光学構成を採用することにより、広い画角と長いバックフォーカスを確保しつつ、フォーカシングには複数のレンズ群を別々の軌道で移動させて合焦する、いわゆるフローティングフォーカス方式を採用することにより、諸収差の変動を補正しながら広いフォーカスレンジのフォーカシングを実現している。
【００１７】
また、最も拡大共役側の第１ａレンズ群は、通常、最も有効径が大きくなるが、この第１ａレンズ群をフォーカシングに際して光軸上に固定して配置することにより、以下のような効果が得られる。第１に、最も重量が大きくなるレンズ群を移動させる必要がなくなるため、フォーカス機構への負担を軽減することができる。第２に、レンズ全長が変わらないため、フォーカス群を保持する機構の過度な巨大化を防ぐことができる。第３に、光軸から最も離れた画角の光線の通過位置が不動となるため、フォーカシングに際する倍率色収差の変動を抑えることができる。
【００１８】
条件式（１）は、全系の屈折力に対する第１レンズ群の屈折力の範囲を規定しているが、条件式（１）の下限を下回ると、第１レンズ群の焦点距離が小さすぎて（つまり、負の屈折力が弱くなりすぎて）、オーバー方向に発生した像面湾曲を補正することが困難になる。逆に、条件式（１）の上限を上回ると、像面湾曲の補正と歪曲収差の補正との両立が困難になる。したがって、条件式（１）を満たすことにより、像面湾曲と歪曲収差を共に良好に補正することが可能になる。
【００１９】
上記投射レンズでは、負群リードで複数のレンズ群（移動群及び固定群）からなる変倍光学系において、最も拡大共役側に位置する第１レンズ群が、拡大共役側から順に、負の第１ａレンズ群と、正又は負の第１ｂレンズ群と、正又は負のを持つ第１ｃレンズ群と、の３つの副群から構成されている。そして、上述したように、フォーカス時の副群の動きや副群を構成する第１レンズ群の焦点距離等が適切に設定された構成になっているため、高精細の画像表示素子に対応可能な高い収差性能を広いフォーカスレンジで有するコンパクトな投射レンズを実現することが可能であり、その投射レンズをプロジェクターに用いれば、プロジェクターの高性能化，高機能化，コンパクト化等に寄与することができる。こういった効果をバランス良く得るとともに、更に高い光学性能，小型化等を達成するための条件等を以下に説明する。
【００２０】
前記第１ｂレンズ群と前記第１ｃレンズ群のうちのいずれか一方のみが、正の屈折力を有し、かつ、正レンズ１枚と負レンズ１枚で構成されることが望ましい。フォーカシングに際して、正の屈折力を持つ副群と負の屈折力を持つ副群を同方向に移動させることにより、像面湾曲の変動を抑えることができる。また、正レンズ１枚と負レンズ１枚の構成にすることにより、色消しの効果を持たせることができる。
【００２１】
前記第１ｂレンズ群及び前記第１ｃレンズ群が、以下の条件式（２）を満たすことが望ましい。
０＜｜Σ（１／（ｆｎ×νｄｎ））×１０００｜≦０．３０５  …（２）
ただし、
ｆｎ：第１ｂレンズ群及び第１ｃレンズ群に含まれている単レンズの焦点距離、
νｄｎ：第１ｂレンズ群及び第１ｃレンズ群に含まれている単レンズのアッベ数、
である。
【００２２】
条件式（２）は、第１レンズ群内の色消し条件の好ましい範囲を規定する式であり、理想的には０であればよい。条件式（２）の上限を上回ると、フォーカシングに際する倍率色収差と軸上色収差の変動が大きくなりすぎて、補正が困難になるおそれがある。したがって、条件式（２）を満たすようにすれば、フォーカシングに伴う倍率色収差及び軸上色収差の変動を広いフォーカスレンジにおいて良好に補正することが可能になる。
【００２３】
前記第１ｂレンズ群及び前記第１ｃレンズ群が、以下の条件式（３）を満たすことが望ましい。
０＜｜Σ（１／（ｆｎ×ｎｄｎ））×１０００｜≦１．３２  …（３）
ただし、
ｆｎ：第１ｂレンズ群及び第１ｃレンズ群に含まれている単レンズの焦点距離、
ｎｄｎ：第１ｂレンズ群及び第１ｃレンズ群に含まれている単レンズの屈折率、
である。
【００２４】
条件式（３）は、第１レンズ群内のペッツバール和の好ましい範囲を規定する式であり、理想的には０であればよい。条件式（３）の上限を上回ると、フォーカシングによる像面湾曲の変動が大きくなりすぎて、補正が困難になるおそれがある。したがって、条件式（３）を満たすようにすれば、フォーカシングに伴う像面湾曲の変動を広いフォーカスレンジにおいて良好に補正することが可能になる。
【００２５】
以下の条件式（４）を満たすことが望ましい。
２．５＜｜（ｆ１ｂ／ｆ１ｃ）×ｄｘ｜＜４．２  …（４）
ただし、
ｆ１ｂ：第１ｂレンズ群の焦点距離、
ｆ１ｃ：第１ｃレンズ群の焦点距離、
ｄｘ：フォーカシングにおける第１ｂレンズ群の移動量に対する第１ｃレンズ群の移動量の比、
である。
【００２６】
前述したように、遠距離側から近距離側へのフォーカシングにおいて、第１ａレンズ群が光軸上に位置固定であり、第１ｂレンズ群と第１ｃレンズ群がそれぞれ別々の軌道で拡大共役側へ移動するフローティングフォーカス方式を採用することにより、第１ｂレンズ群のフォーカス移動による像面湾曲の変動を第１ｃレンズ群のフォーカス移動により補正することができる。つまり、条件式（４）の対応値は、第１ｃレンズ群による像面湾曲の補正の効果の指標となる値である。条件式（４）の上限を上回ると、フォーカシング時の像面湾曲補正が過剰となり、条件式（４）の下限を下回ると、フォーカシング時の像面湾曲補正が過少となり、結果的にいずれの場合も広いフォーカスレンジを得ることができなくなるおそれがある。したがって、条件式（４）を満たすようにすれば、フォーカシングに伴う像面湾曲の変動を広いフォーカスレンジにおいて良好に補正することが可能になる。なお、全ズームポジションで条件式（４）を満たすことが更に望ましい。
【００２７】
次に、第１〜第４の実施の形態を挙げて、変倍機能を有する投射レンズの具体的な光学構成を説明する。図１〜図４は、投射レンズの第１〜第４の実施の形態であるズームレンズＺＬにそれぞれ対応するレンズ構成図であり、望遠端（Ｔ）でのレンズ配置等を光学断面で示している。図１〜図４中の移動軌跡ｍｋ（ｋ＝１，２，…，６）は、望遠端（Ｔ）から広角端（Ｗ）へのズーミングにおける第ｋレンズ群Ｇｒｋの移動・固定状態をそれぞれ模式的に示している。また、図１〜図４中の移動矢印ｍａ，ｍｂ，ｍｃは、投影距離が遠距離（Ｅ）から近距離（Ｋ）へのフォーカシングにおける副群Ｇｒ１ａ，Ｇｒ１ｂ，Ｇｒ１ｃの移動・固定状態を模式的に示している。
【００２８】
第１〜第３の実施の形態（図１〜図３）のズームレンズＺＬは、拡大共役側から順に、負の屈折力を有する第１レンズ群Ｇｒ１と、負の屈折力を有する第２レンズ群Ｇｒ２と、正の屈折力を有する第３レンズ群Ｇｒ３と、負の屈折力を有する第４レンズ群Ｇｒ４と、正の屈折力を有する第５レンズ群Ｇｒ５と、正の屈折力を有する第６レンズ群Ｇｒ６と、の６群で構成されたプロジェクター用ズームレンズであり、第４の実施の形態（図４）のズームレンズＺＬは、拡大共役側から順に、負の屈折力を有する第１レンズ群Ｇｒ１と、正の屈折力を有する第２レンズ群Ｇｒ２と、正の屈折力を有する第３レンズ群Ｇｒ３と、負の屈折力を有する第４レンズ群Ｇｒ４と、正の屈折力を有する第５レンズ群Ｇｒ５と、正の屈折力を有する第６レンズ群Ｇｒ６と、の６群で構成されたプロジェクター用ズームレンズである。つまり、第１〜第３の実施の形態は拡大共役側から順に負負正負正正の屈折力配置を有する６群構成のズームレンズＺＬであり、第４の実施の形態は拡大共役側から順に負正正負正正の屈折力配置を有する６群構成のズームレンズＺＬである。
【００２９】
第１，第３，第４の実施の形態では、第２レンズ群Ｇｒ２，第３レンズ群Ｇｒ３，第４レンズ群Ｇｒ４，及び第５レンズ群Ｇｒ５を光軸ＡＸに沿って移動させることによりズーミングを行う構成になっており、第２の実施の形態では、第２レンズ群Ｇｒ２，第３レンズ群Ｇｒ３，及び第５レンズ群Ｇｒ５を光軸ＡＸに沿って移動させることによりズーミングを行う構成になっている。第１〜第４の実施の形態では、いずれも第１レンズ群Ｇｒ１と第６レンズ群Ｇｒ６が固定群であるが、第２の実施の形態では、第４レンズ群Ｇｒ２も固定群となっている。第１レンズ群Ｇｒ１のズーム位置が固定になっているので、変倍による光学系全長の変化を抑制することができ、また、移動部品が減少するため変倍機構を簡素化することができる。なお、第６レンズ群Ｇｒ６の縮小共役側に位置するプリズムＰＲ（例えばＴＩＲ(Total Internal Reflection)プリズム，色分解合成プリズム等）、及び画像表示素子のカバーガラスＣＧのズーム位置も固定である。
【００３０】
第１〜第３の実施の形態では、負の屈折力を有する第１ａレンズ群Ｇｒ１ａが光軸ＡＸ上に固定であり、正の屈折力を有する第１ｂレンズ群Ｇｒ１ｂと負の屈折力を有する第１ｃレンズ群Ｇｒ１ｃがそれぞれ別々の軌道で拡大共役側へ移動する。第４の実施の形態では、負の屈折力を有する第１ａレンズ群Ｇｒ１ａが光軸ＡＸ上に固定であり、負の屈折力を有する第１ｂレンズ群Ｇｒ１ｂと正の屈折力を有する第１ｃレンズ群Ｇｒ１ｃがそれぞれ別々の軌道で拡大共役側へ移動する。第１〜第３の実施の形態では、正の屈折力を有する第１ｂレンズ群Ｇｒ１ｂが正レンズ１枚と負レンズ１枚で構成されており、第４の実施の形態では、正の屈折力を有する第１ｃレンズ群Ｇｒ１ｃが正レンズ１枚と負レンズ１枚で構成されている。正の屈折力を持つ副群と負の屈折力を持つ副群を同方向にフォーカス移動させることにより、像面湾曲の変動を抑えることができ、また、フォーカス移動する正の副群を正レンズ１枚と負レンズ１枚で構成することにより、色消しの効果を持たせることができる。
【００３１】
次に、上記ズームレンズＺＬを投射レンズとして適用したプロジェクターの一実施の形態を説明する。図２９に、プロジェクターＰＪの概略構成例を示す。このプロジェクターＰＪは、光源１，照明光学系２，反射ミラー３，プリズムＰＲ，画像表示素子（画像形成素子）４，制御部５，アクチュエーター６，ズームレンズ（投射レンズ）ＺＬ等を備えている。制御部５は、プロジェクターＰＪの全体制御を司る部分である。画像表示素子４は、光を変調して画像を生成する画像変調素子（例えば、デジタル・マイクロミラー・デバイス）であり、画像を表示する画像表示面ＩＭ上には、カバーガラスＣＧが設けられている。
【００３２】
光源１（例えば、キセノンランプ等の白色光源，レーザー光源）から出射した光は、照明光学系２，反射ミラー３及びプリズムＰＲで画像表示素子４に導かれて、画像表示素子４では画像光が形成される。プリズムＰＲは、例えばＴＩＲプリズム（他に色分離合成プリズム等）からなり、照明光と投影光との分離等を行う。画像表示素子４で形成された画像光は、ズームレンズＺＬでスクリーン面ＳＣに向けて拡大投射される。つまり、画像表示素子４に表示された画像は、ズームレンズＺＬでスクリーン面ＳＣに拡大投影される。
【００３３】
プロジェクターＰＪは、上記のように、画像を表示する画像表示素子４と、光源１と、その光源１からの光を画像表示素子４に導く照明光学系２と、画像表示素子４に表示された画像をスクリーン面ＳＣに拡大投影するズームレンズＺＬと、を備えているが、前記投射レンズとしてのズームレンズＺＬが適用可能なプロジェクターはこれに限らない。例えば、画像表示面自身の発光により画像を表示する画像表示素子を用いれば、照明を不要にすることも可能であり、その場合、光源１や照明光学系２を用いずにプロジェクターを構成することが可能である。
【００３４】
ズームレンズＺＬにおいてズーミングやフォーカシングのために移動するレンズ群には、それぞれ光軸ＡＸに沿って拡大共役側又は縮小共役側に移動させるアクチュエーター６が接続されている。そしてアクチュエーター６には、移動群の移動制御を行うための制御部５が接続されている。なお、制御部５及びアクチュエーター６については、これを使わず手動でレンズ群を移動させてもよい。
【実施例】
【００３５】
以下、本発明を実施した投射レンズの構成等を、実施例のコンストラクションデータ等を挙げて更に具体的に説明する。ここで挙げる実施例１〜４（ＥＸ１〜４）は、前述した第１〜第４の実施の形態にそれぞれ対応する数値実施例であり、第１〜第４の実施の形態を表すレンズ構成図（図１〜図４）は、対応する実施例１〜４のレンズ断面形状，レンズ配置等をそれぞれ示している。
【００３６】
各実施例のコンストラクションデータでは、面データとして、左側の欄から順に、面番号ｉ，曲率半径ＣＲ（ｍｍ），軸上面間隔Ｔｉ（ｍｍ），ｄ線（波長５８７．５６ｎｍ）に関する屈折率ｎｄ，及びｄ線に関するアッベ数νｄを示す。ただし、ｅ線（波長５４６ｎｍ）を基準として評価するために、後述する焦点距離等のデータはｅ線での計算値とした。なお、ＳＴは開口絞り、ＩＭは画像表示面をそれぞれ示しており、Ｆ，Ｚはフォーカシング時とズーミング時の可変面間隔Ｔｉ（ｉ：面番号）をそれぞれ示している。
【００３７】
各種データ１，２として、近距離フォーカスポジションＫ，遠距離フォーカスポジションＥにおける、投影距離（ｍｍ），全系の焦点距離（ｍｍ），ズーム比，半画角（ω，°），Ｆナンバー，及び群間隔である可変面間隔Ｔｉ（ｉ：面番号，ｍｍ）をそれぞれ示し、各種データ３として、バックフォーカス（ＢＦ，ｍｍ），レンズ全長（ｍｍ），最大像高（ｍｍ）を示す。投影距離は、スクリーン面ＳＣからズームレンズＺＬの最前面（ｉ＝１）頂点までの距離であり、バックフォーカスＢＦは、レンズ最終面から画像表示面ＩＭまでの距離を空気換算長により表記しており、レンズ全長は、ズームレンズＺＬの最前面（ｉ＝１）からズームレンズＺＬの最終面までの距離にバックフォーカスＢＦを加えたものである。また、最大像高は画像表示面ＩＭの対角長の半分に相当する。なお、ズーミングにより変化するデータに関しては、各ズームポジションＴ，Ｍ，Ｗでの値を示す。
【００３８】
さらに各種データ４として、フォーカス群Ｇｒ１ｂ，Ｇｒ１ｃの移動量（ｍｍ）と、その移動量比ｄｘを示す。また、各種データ５として、第ｋレンズ群Ｇｒｋ（ｋ＝１，２，…，６）の焦点距離ｆｋ、第１ａレンズ群Ｇｒ１ａ，第１ｂレンズ群Ｇｒ１ｂ，第１ｃレンズ群Ｇｒ１ｃの各焦点距離ｆ１ａ，ｆ１ｂ，ｆ１ｃを示す。ただし、第１レンズ群Ｇｒ１に関しては、焦点距離ｆ１と屈折力φ１をフォーカスポジションＫ，Ｅのそれぞれについて示す。
【００３９】
表１〜表４に、第ｊレンズＬｊ（ｊ＝１，２，３，…）の焦点距離ｆｌ，条件式（２）の関連データである１／（ｆｎ×νｄｎ），条件式（３）の関連データである１／（ｆｎ×ｎｄｎ）を各実施例について示し、表５に各実施例の条件式（１）〜（４）の対応値を示す。
【００４０】
図５〜図２８は、実施例１〜実施例４（ＥＸ１〜ＥＸ４）にそれぞれ対応する収差図であり、図５〜図７，図１１〜図１３，図１７〜図１９，図２３〜図２５は、近距離フォーカスポジション（Ｋ）における諸収差を示しており、図８〜図１０，図１４〜図１６，図２０〜図２２，図２６〜図２８は、遠距離フォーカスポジション（Ｅ）における諸収差を示している。また、図５，図８，図１１，図１４，図１７，図２０，図２３，図２６は望遠端（Ｔ）における諸収差を示しており、図６，図９，図１２，図１５，図１８，図２１，図２４，図２７は中間ポジション（Ｍ，中間焦点距離状態）における諸収差を示しており、図７，図１０，図１３，図１６，図１９，図２２，図２５，図２８は広角端（Ｗ）における諸収差を示している。図５〜図２８のそれぞれにおいて、（Ａ）は球面収差（ｍｍ）、（Ｂ）は非点収差（ｍｍ）、（Ｃ）は歪曲収差（％）、（Ｄ）は倍率色収差（ｍｍ）を示している。
【００４１】
（Ａ）の球面収差図では、縦軸に瞳への光線の入射高さをその最大高さで規格化した値（すなわち相対瞳高さ）をとっており、横軸に波長４６０ｎｍ，５４６ｎｍ，６２０ｎｍの光線に対する球面収差量をそれぞれ近軸像面からの光軸ＡＸ方向のズレ量（横軸スケール：−０．１ｍｍ〜０．１ｍｍ）として表している。球面収差図における波長と線種との対応関係は、
波長４６０ｎｍに対する球面収差  ：  長い破線、
波長５４６ｎｍに対する球面収差  ：  実線、
波長６２０ｎｍに対する球面収差  ：  短い破線、
である。
【００４２】
（Ｂ）の非点収差図では、縦軸に近軸像高（ｍｍ）をとっており、横軸に波長４６０ｎｍ，５４６ｎｍ，６２０ｎｍの光線に対するサジタル（Ｓ）像面とメリディオナル（Ｍ）像面をそれぞれ近軸像面からの光軸ＡＸ方向のズレ量（横軸スケール：−０．１ｍｍ〜０．１ｍｍ）として表している。非点収差図における波長と線種との対応関係は、
波長４６０ｎｍに対するＳ像面  ：  一点破線、
波長４６０ｎｍに対するＭ像面  ：  点線、
波長５４６ｎｍに対するＳ像面  ：  長い破線、
波長５４６ｎｍに対するＭ像面  ：  実線、
波長６２０ｎｍに対するＳ像面  ：  二点破線、
波長６２０ｎｍに対するＭ像面  ：  短い破線、
である。
【００４３】
（Ｃ）の歪曲収差図では、縦軸に近軸像高（ｍｍ）をとっており、横軸に波長５４６ｎｍの光線に対する歪曲（横軸スケール：−１．５％〜１．５％）を表している。
【００４４】
（Ｄ）の倍率色収差図では、縦軸に近軸像高（ｍｍ）をとっており、横軸に波長４６０ｎｍの光線と波長５４６ｎｍの光線との差に相当する倍率色収差（Ｂｌｕｅ−Ｇｒｅｅｎ）、及び波長６２０ｎｍの光線と波長５４６ｎｍの光線との差に相当する倍率色収差（Ｒｅｄ−Ｇｒｅｅｎ）を表している（横軸スケール：−０．００５ｍｍ〜０．００５ｍｍ）。倍率色収差図における波長と線種との対応関係は、
倍率色収差（Ｂｌｕｅ−Ｇｒｅｅｎ）  ：  実線、
倍率色収差（Ｒｅｄ−Ｇｒｅｅｎ）  ：  破線、
である。
【００４５】
実施例１は、第１レンズ群Ｇｒ１が負負負正負負正負の８枚、第２レンズ群Ｇｒ２が正負の２枚、第３レンズ群Ｇｒ３が正正の２枚、第４レンズ群Ｇｒ４が負負正の３枚、第５レンズ群Ｇｒ５が正負正正負正の６枚、第６レンズ群Ｇｒ６が正の１枚の計２２枚のレンズ（第１レンズＬ１〜第２２レンズＬ２２）からなる負負正負正正の６群構成を有している。第４５面までがズームレンズＺＬのレンズユニットであり、第４６面以降はプリズムＰＲや表示素子４のカバーガラスＣＧである。第３１面は開口絞りであり、第４レンズ群Ｇｒ４における最も縮小共役側に位置し、変倍時には第４レンズ群Ｇｒ４の一部として一体的に移動する（図１中の移動軌跡ｍ４）。
【００４６】
実施例１では、望遠端（Ｔ）から広角端（Ｗ）への変倍に際し、第１レンズ群Ｇｒ１が光軸ＡＸ上に位置固定され、第２レンズ群Ｇｒ２が縮小共役側に凸となる弧を描く軌道（変倍時の移動の展開状態）で移動し（つまり、縮小共役側への移動後に拡大共役側へＵターン移動し）、第３レンズ群Ｇｒ３が縮小共役側に向かって移動し、第４レンズ群Ｇｒ４が縮小共役側に凸となる弧を描く軌道（変倍時の移動の展開状態）で移動し（つまり、縮小共役側への移動後に拡大共役側へＵターン移動し）、第５レンズ群Ｇｒ５が縮小共役側に向かって移動し、第６レンズ群Ｇｒ６が光軸ＡＸ上に位置固定される。
【００４７】
実施例１では、第１レンズ群Ｇｒ１が、拡大共役側から順に、負負の２枚から構成される負の屈折力を持つ第１ａレンズ群Ｇｒ１ａと、負正の２枚から構成される正の屈折力を持つ第１ｂレンズ群Ｇｒ１ｂと、負負正負の４枚から構成される負の屈折力を持つ第１ｃレンズ群Ｇｒ１ｃと、に分割される。遠距離投射（Ｅ）から近距離投射（Ｋ）へのフォーカシングに際し、第１ａレンズ群Ｇｒ１ａは光軸ＡＸ上に位置固定され、第１ｂレンズ群Ｇｒ１ｂと第１ｃレンズ群Ｇｒ１ｃはそれぞれ別の軌道で拡大共役側へ移動する。遠距離投射（Ｅ）から近距離投射（Ｋ）へのフォーカシングに際し、第１ｂレンズ群Ｇｒ１ｂと第１ｃレンズ群Ｇｒ１ｃの移動量の比は１．８６７となる。
【００４８】
実施例２は、第１レンズ群Ｇｒ１が負負負正負負正負の８枚、第２レンズ群Ｇｒ２が正負の２枚、第３レンズ群Ｇｒ３が正正の２枚、第４レンズ群Ｇｒ４が負負正の３枚、第５レンズ群Ｇｒ５が正負正正負正の６枚、第６レンズ群Ｇｒ６が正の１枚の計２２枚のレンズ（第１レンズＬ１〜第２２レンズＬ２２）からなる負負正負正正の６群構成を有している。第４５面までがズームレンズＺＬのレンズユニットであり、第４６面以降はプリズムＰＲや表示素子４のカバーガラスＣＧである。第３１面は開口絞りであり、第４レンズ群Ｇｒ４における最も縮小共役側に位置し、変倍時には第４レンズ群Ｇｒ４の一部として位置固定である（図２中の移動軌跡ｍ４）。
【００４９】
実施例２では、望遠端（Ｔ）から広角端（Ｗ）への変倍に際し、第１レンズ群Ｇｒ１が光軸ＡＸ上に位置固定され、第２レンズ群Ｇｒ２が縮小共役側に凸となる弧を描く軌道（変倍時の移動の展開状態）で移動し（つまり、縮小共役側への移動後に拡大共役側へＵターン移動し）、第３レンズ群Ｇｒ３が縮小共役側に向かって移動し、第４レンズ群Ｇｒ４が光軸ＡＸ上に位置固定され、第５レンズ群Ｇｒ５が縮小共役側に向かって移動し、第６レンズ群Ｇｒ６が光軸ＡＸ上に位置固定される。
【００５０】
実施例２では、第１レンズ群Ｇｒ１が、拡大共役側から順に、負負の２枚から構成される負の屈折力を持つ第１ａレンズ群Ｇｒ１ａと、負正の２枚から構成される正の屈折力を持つ第１ｂレンズ群Ｇｒ１ｂと、負負正負の４枚から構成される負の屈折力を持つ第１ｃレンズ群Ｇｒ１ｃと、に分割される。遠距離投射（Ｅ）から近距離投射（Ｋ）へのフォーカシングに際し、第１ａレンズ群Ｇｒ１ａは光軸ＡＸ上に位置固定され、第１ｂレンズ群Ｇｒ１ｂと第１ｃレンズ群Ｇｒ１ｃはそれぞれ別の軌道で拡大共役側へ移動する。遠距離投射（Ｅ）から近距離投射（Ｋ）へのフォーカシングに際し、第１ｂレンズ群Ｇｒ１ｂと第１ｃレンズ群Ｇｒ１ｃの移動量の比は１．８７５となる。
【００５１】
実施例３は、第１レンズ群Ｇｒ１が負負負正負正負の８枚、第２レンズ群Ｇｒ２が正負の２枚、第３レンズ群Ｇｒ３が正正の２枚、第４レンズ群Ｇｒ４が負負正の３枚、第５レンズ群Ｇｒ５が正正負負正正の６枚、第６レンズ群Ｇｒ６が正の１枚の計２１枚のレンズ（第１レンズＬ１〜第２１レンズＬ２１）からなる負負正負正正の６群構成を有している。第４３面までがズームレンズＺＬのレンズユニットであり、第４４面以降はプリズムＰＲや表示素子４のカバーガラスＣＧである。第２９面は開口絞りであり、第５レンズ群Ｇｒ５における最も拡大共役側に位置し、変倍時には第５レンズ群Ｇｒ５の一部として一体的に移動する（図３中の移動軌跡ｍ５）。
【００５２】
実施例３では、望遠端（Ｔ）から広角端（Ｗ）への変倍に際し、第１レンズ群Ｇｒ１が光軸ＡＸ上に位置固定され、第２レンズ群Ｇｒ２が縮小共役側に凸となる弧を描く軌道（変倍時の移動の展開状態）で移動し（つまり、縮小共役側への移動後に拡大共役側へＵターン移動し）、第３レンズ群Ｇｒ３が縮小共役側に向かって移動し、第４レンズ群Ｇｒ４が拡大共役側に向かって移動し、第５レンズ群Ｇｒ５が縮小共役側に向かって移動し、第６レンズ群Ｇｒ６が光軸ＡＸ上に位置固定される。
【００５３】
実施例３では、第１レンズ群Ｇｒ１が、拡大共役側から順に、負負の２枚から構成される負の屈折力を持つ第１ａレンズ群Ｇｒ１ａと、負正の２枚から構成される正の屈折力を持つ第１ｂレンズ群Ｇｒ１ｂと、負正負の３枚から構成される負の屈折力を持つ第１ｃレンズ群Ｇｒ１ｃと、に分割される。遠距離投射（Ｅ）から近距離投射（Ｋ）へのフォーカシングに際し、第１ａレンズ群Ｇｒ１ａは光軸ＡＸ上に位置固定され、第１ｂレンズ群Ｇｒ１ｂと第１ｃレンズ群Ｇｒ１ｃはそれぞれ別の軌道で拡大共役側へ移動する。遠距離投射（Ｅ）から近距離投射（Ｋ）へのフォーカシングに際し、第１ｂレンズ群Ｇｒ１ｂと第１ｃレンズ群Ｇｒ１ｃの移動量の比は１．８２８となる。
【００５４】
実施例４は、第１レンズ群Ｇｒ１が正負負負負正の６枚、第２レンズ群Ｇｒ２が負正の２枚、第３レンズ群Ｇｒ３が正の１枚、第４レンズ群Ｇｒ４が負負正の３枚、第５レンズ群Ｇｒ５が正負正正負正の６枚、第６レンズ群Ｇｒ６が正の１枚の計１９枚のレンズ（第１レンズＬ１〜第１９レンズＬ１９）からなる負正正負正正の６群構成を有している。第３９面までがズームレンズＺＬのレンズユニットであり、第４０面以降はプリズムＰＲや表示素子４のカバーガラスＣＧである。第２５面は開口絞りであり、第４レンズ群Ｇｒ４における最も縮小共役側に位置し、変倍時には第４レンズ群Ｇｒ４の一部として一体的に移動する（図４中の移動軌跡ｍ４）。
【００５５】
実施例４では、望遠端（Ｔ）から広角端（Ｗ）への変倍に際し、第１レンズ群Ｇｒ１が光軸ＡＸ上に位置固定され、第２レンズ群Ｇｒ２が縮小共役側に向かって移動し、第３レンズ群Ｇｒ３が縮小共役側に向かって移動し、第４レンズ群Ｇｒ４が縮小共役側に向かって移動し、第５レンズ群Ｇｒ５が縮小共役側に向かって移動し、第６レンズ群Ｇｒ６が光軸ＡＸ上に位置固定される。
【００５６】
実施例４では、第１レンズ群Ｇｒ１が、拡大共役側から順に、正負の２枚から構成される負の屈折力を持つ第１ａレンズ群Ｇｒ１ａと、負負の２枚から構成される負の屈折力を持つ第１ｂレンズ群Ｇｒ１ｂと、負正の２枚から構成される正の屈折力を持つ第１ｃレンズ群Ｇｒ１ｃと、に分割される。遠距離投射（Ｅ）から近距離投射（Ｋ）へのフォーカシングに際し、第１ａレンズ群Ｇｒ１ａは光軸ＡＸ上に位置固定され、第１ｂレンズ群Ｇｒ１ｂと第１ｃレンズ群Ｇｒ１ｃはそれぞれ別の軌道で拡大共役側へ移動する。遠距離投射（Ｅ）から近距離投射（Ｋ）へのフォーカシングに際し、第１ｂレンズ群Ｇｒ１ｂと第１ｃレンズ群Ｇｒ１ｃの移動量の比は３．７４９となる。
【００５７】
なお、各実施例のズームレンズＺＬを投射レンズとしてプロジェクター（例えば液晶プロジェクター）ＰＪに用いる場合、本来はスクリーン面（被投影面）ＳＣが像面であり画像表示面ＩＭ（例えば液晶パネル面）が物体面であるが、各実施例では光学設計上それぞれ縮小系とし、スクリーン面ＳＣ（図２９）を物体面とみなして画像表示面（縮小共役側像面）ＩＭで光学性能を評価している。そして、得られた光学性能から分かるように、各実施例のズームレンズＺＬはプロジェクター用の投射レンズとしてだけでなく、撮像装置（例えばビデオカメラ，デジタルカメラ）用の撮像レンズとしても好適に使用可能である。
【００５８】
実施例１
単位：mm
面データ
i            CR            Ti          nd       νd
1       149.381         8.860     1.70154     41.15
2        86.666        24.882
3       173.342         7.182     1.72342     37.99
4        78.713       可変(F)
5       264.092         6.242     1.60311     60.69
6       111.890        13.319
7       135.418        24.079     1.80610     33.27
8      -243.481       可変(F)
9       120.779         5.916     1.83400     37.34
10        55.236        20.995
11            ∞         5.459     1.61800     63.39
12       126.905         4.549
13        87.400        25.474     1.48749     70.44
14       -76.522         0.200
15      -113.854         3.996     1.71300     53.94
16       398.513     可変(F,Z)
17      -234.986         8.138     1.51680     64.20
18       -69.628         0.236
19      -112.286         3.276     1.80809     22.76
20       127.831       可変(Z)
21      -765.083         6.211     1.80610     33.27
22      -107.249        35.992
23        89.197         7.144     1.90366     31.31
24      -684.045       可変(Z)
25      -203.532         3.601     1.43700     95.10
26        40.134         8.955
27       -97.142         2.915     1.43700     95.10
28        41.652         2.276
29        44.055         6.911     1.56883     56.04
30      -254.480        31.338
31        ∞(ST)       可変(Z)
32       -35.449         3.609     1.43700     95.10
33       -29.388         2.623
34       -28.198         2.500     1.88300     40.80
35       -37.791         3.554
36       192.372         8.435     1.43700     95.10
37       -59.312         3.000
38       363.100         5.838     1.43700     95.10
39       -92.305         1.952
40      -221.625         2.568     1.80610     40.73
41        54.771         2.237
42        60.996        10.451     1.43700     95.10
43      -109.156       可変(Z)
44        75.894         7.744     1.53775     74.70
45      -397.771        15.300
46            ∞        85.000     1.51680     64.20
47            ∞         1.000
48            ∞         3.000     1.48749     70.44
49            ∞         4.000
50(IM)
【００５９】
各種データ１
投影距離      1751(K)
(T)        (M)        (W)
焦点距離       25.543     21.200     17.623
ズーム比        1.449
半画角ω       31.577     36.522     41.698
Fナンバー       2.499      2.378      2.299
群間隔
T4             27.310     27.296     27.284
T8              4.022      4.010      4.000
T16            21.314     24.448     20.607
T20            11.622     19.627     31.761
T24            21.107     12.044      3.009
T31            21.517     32.042     44.239
T43            24.508     11.934      0.500
【００６０】
各種データ２
投影距離     10914(E)
(T)        (M)        (W)
焦点距離       25.764     21.398     17.800
ズーム比        1.447
半画角ω       31.357     36.268     41.414
Fナンバー       2.500      2.381      2.300
群間隔
T4             29.329     29.327     29.325
T8              5.773      5.771      5.769
T16            17.543     20.656     16.798
T20            11.622     19.627     31.761
T24            21.107     12.044      3.009
T31            21.517     32.042     44.239
T43            24.508     11.934      0.500
【００６１】
各種データ３
BF             78.356
レンズ全長    449.724
最大像高       15.700
【００６２】
各種データ４
フォーカス群移動量
Gr1b
(T)        (M)        (W)
10914(E)        0.000      0.000      0.000
1751(K)       -2.020     -2.031     -2.041
Gr1c
(T)        (M)        (W)
10914(E)        0.000      0.000      0.000
1751(K)       -3.771     -3.792     -3.810
移動量比        1.867
【００６３】
各種データ５
各レンズ群の焦点距離
f1a      -117.641
f1b       155.784
f1c      -109.152
f2       -117.717
f3         65.229
f4        -86.554
f5        190.934
f6        118.822
(K)         (E)
f1        -80.085     -80.034
φ1        -0.012      -0.012
【００６４】
実施例２
単位：mm
面データ
i            CR            Ti          nd       νd
1       150.095         8.858     1.70154     41.15
2        86.592        24.597
3       170.672         7.175     1.72342     37.99
4        78.565       可変(F)
5       254.885         6.244     1.60311     60.69
6       107.970        13.764
7       133.887        24.456     1.80610     33.27
8      -239.234       可変(F)
9       118.053         5.181     1.83400     37.34
10        54.726        21.439
11            ∞         6.402     1.61800     63.39
12       122.819         2.869
13        84.910        26.114     1.48749     70.44
14       -75.407         0.200
15      -110.138         4.164     1.71300     53.94
16       467.940     可変(F,Z)
17      -244.399         8.343     1.51680     64.20
18       -69.011         0.200
19      -116.257         3.257     1.80809     22.76
20       120.131       可変(Z)
21      -628.811         5.880     1.80610     33.27
22      -107.308        33.667
23        88.522         7.035     1.90366     31.31
24      -742.722       可変(Z)
25      -214.299         3.620     1.43700     95.10
26        40.712         8.888
27       -94.432         1.950     1.43700     95.10
28        40.797         2.411
29        43.704         7.061     1.56883     56.04
30      -261.358        31.516
31        ∞(ST)       可変(Z)
32       -34.781         2.938     1.43700     95.10
33       -29.425         2.887
34       -28.235         2.500     1.88300     40.80
35       -37.056         2.275
36       171.703         8.504     1.43700     95.10
37       -60.697         3.022
38       320.474         6.278     1.43700     95.10
39       -89.428         1.907
40      -208.292         2.579     1.80610     40.73
41        54.634         2.328
42        61.663        10.341     1.43700     95.10
43      -111.100       可変(Z)
44        74.064         7.182     1.53775     74.70
45      -517.781        15.717
46            ∞        85.000     1.51680     64.20
47            ∞         1.000
48            ∞         3.000     1.48749     70.44
49            ∞         4.000
50(IM)
【００６５】
各種データ１
投影距離      1726(K)
(T)        (M)        (W)
焦点距離       25.546     21.193     17.604
ズーム比        1.451
半画角ω       31.574     36.532     41.729
Fナンバー       2.659      2.516      2.399
群間隔
T4             27.158     27.145     27.134
T8              4.021      4.009      4.000
T16            24.108     25.172     22.059
T20            12.881     21.309     33.097
T24            20.975     11.507      2.853
T31            24.673     36.229     48.258
T43            24.085     12.529      0.500
【００６６】
各種データ２
投影距離     10988(E)
(T)        (M)        (W)
焦点距離       25.784     21.405     17.792
ズーム比        1.449
半画角ω       31.337     36.259     41.426
Fナンバー       2.660      2.517      2.400
群間隔
T4             29.258     29.256     29.254
T8              5.859      5.857      5.855
T16            20.170     21.213     18.084
T20            12.881     21.309     33.097
T24            20.975     11.507      2.853
T31            24.673     36.229     48.258
T43            24.085     12.529      0.500
【００６７】
各種データ３
BF             78.773
レンズ全長    450.000
最大像高       15.700
【００６８】
各種データ４
フォーカス群移動量
Gr1b
(T)        (M)        (W)
10988(E)        0.000      0.000      0.000
1726(K)       -2.100     -2.111     -2.120
Gr1c
(T)        (M)        (W)
10988(E)        0.000      0.000      0.000
1726(K)       -3.938     -3.959     -3.976
移動量比        1.875
【００６９】
各種データ５
各レンズ群の焦点距離
f1a      -117.952
f1b       154.762
f1c      -110.103
f2       -117.608
f3         65.119
f4        -86.001
f5        185.492
f6        120.623
(K)         (E)
f1        -81.399     -81.368
φ1        -0.012      -0.012
【００７０】
実施例３
単位：mm
面データ
i            CR            Ti          nd       νd
1       103.916         6.465     1.65844     50.85
2        62.139        13.877
3        92.446         5.229     1.65844     50.85
4        52.678       可変(F)
5       171.340         4.330     1.61800     63.39
6        60.549        14.197
7       220.092        11.772     1.91082     35.25
8      -134.918       可変(F)
9       143.299         3.777     1.80420     46.50
10        49.927        12.945
11        76.643        19.523     1.51680     64.20
12       -60.449         0.200
13      -106.614         2.890     1.49700     81.61
14        40.675     可変(F,Z)
15      -308.819         7.739     1.51742     52.15
16       -39.530         0.200
17       -51.843         2.262     1.80809     22.76
18       106.163       可変(Z)
19      1326.720         4.967     1.80518     25.46
20       -73.878         0.200
21        45.111         5.605     1.90366     31.31
22       191.877       可変(Z)
23      -121.743         1.688     1.49700     81.61
24        24.392         7.513
25       -94.743         1.815     1.63854     55.45
26        66.854         0.534
27        42.218         5.050     1.68893     31.16
28      -136.252       可変(Z)
29        ∞(ST)         6.203
30        40.984         5.526     1.43700     95.10
31       -52.172         0.200
32        37.179         4.583     1.60300     65.44
33       -69.736         0.010     1.55000     47.00
34       -69.736         1.177     1.72825     28.32
35        26.708         7.086
36       -23.513         1.200     1.90366     31.31
37        62.268         0.010     1.55000     47.00
38        62.268         7.436     1.60300     65.44
39       -28.063         0.200
40       111.435         5.826     1.49700     81.61
41       -44.072       可変(Z)
42        86.640         4.413     1.85896     22.73
43      -137.880        12.000
44            ∞        38.000     1.71300     53.94
45            ∞         3.000
46            ∞         1.050     1.48749     70.44
47            ∞         0.200
48(IM)
【００７１】
各種データ１
投影距離      1751(K)
(T)        (M)        (W)
焦点距離       18.412     15.035     12.273
ズーム比        1.500
半画角ω       31.084     36.438     42.128
Fナンバー       2.399      2.337      2.276
群間隔
T4             22.792     22.788     22.786
T8              1.541      1.538      1.536
T14            21.564     22.403     18.888
T18             9.921     14.654     21.904
T22            24.720     17.402     10.651
T29             6.840     13.405     21.197
T41            22.899     18.087     13.315
【００７２】
各種データ２
投影距離     10914(E)
(T)        (M)        (W)
焦点距離       18.365     14.985     12.224
ズーム比        1.502
半画角ω       31.149     36.529     42.240
Fナンバー       2.399      2.337      2.276
群間隔
T4             22.173     22.153     22.138
T8              1.029      1.012      1.000
T14            22.694     23.565     20.072
T18             9.921     14.654     21.904
T22            24.720     17.402     10.651
T28             6.840     13.405     21.197
T41            22.899     18.087     13.315
【００７３】
各種データ３
BF             38.090
レンズ全長    280.000
最大像高       11.100
【００７４】
各種データ４
フォーカス群移動量
Gr1b
(T)        (M)        (W)
10914(E)        0.000      0.000      0.000
1751(K)       -0.618     -0.635     -0.647
Gr1c
(T)        (M)        (W)
10914(E)        0.000      0.000      0.000
1751(K)       -1.130     -1.161     -1.184
移動量比        1.828
【００７５】
各種データ５
各レンズ群の焦点距離
f1a      -105.790
f1b       184.139
f1c       -80.886
f2        -83.006
f3         36.481
f4        -58.270
f5        105.273
f6         61.874
(K)         (E)
f1        -49.039     -48.927
φ1        -0.020      -0.020
【００７６】
実施例４
単位：mm
面データ
i            CR            Ti          nd       νd
1        26.677        14.289     1.51680     64.20
2       886.738         0.300
3       129.208         6.212     1.65844     50.85
4        64.373       可変(F)
5       557.492         4.746     1.49700     81.61
6        69.748        13.118
7      1464.263         4.027     1.63854     55.45
8       112.583       可変(F)
9       -80.111         4.842     1.69895     30.05
10       129.836         3.597
11       162.965        14.355     1.72342     37.99
12       -81.466     可変(F,Z)
13      -230.447         5.009     1.56732     42.84
14        89.127         2.505
15        89.201        12.202     1.51680     64.20
16      -117.615       可変(Z)
17       119.308         5.180     1.72825     28.32
18       587.169       可変(Z)
19       198.830         2.433     1.49700     81.61
20        52.676        13.459
21      -232.275         2.150     1.63854     55.45
22       551.189         0.759
23        88.414         3.572     1.80610     40.73
24       561.553         7.767
25        ∞(ST)       可変(Z)
26     -1447.856         7.671     1.43700     95.10
27       -54.735         3.469
28       -49.941         2.903     1.80420     46.50
29      -109.574        26.677
30    -10035.603         9.023     1.43700     95.10
31       -76.100         1.412
32       339.630         9.457     1.43700     95.10
33       -87.694         1.990
34       -97.643         3.773     1.80420     46.50
35        94.388         5.220
36       124.961        12.916     1.43700     95.10
37       -99.348       可変(Z)
38       102.894         8.901     1.49700     81.61
39      -712.956        19.500
40            ∞       116.500     1.51680     64.20
41            ∞         4.000
42            ∞         3.000     1.48749     70.44
43            ∞         0.000
44(IM)
【００７７】
各種データ１
投影距離      1500(K)
(T)        (M)        (W)
焦点距離       49.329     43.174     37.015
ズーム比        1.333
半画角ω       24.519     27.526     31.294
Fナンバー       4.117      3.992      3.881
群間隔
T4             19.500     19.500     19.500
T8             32.512     32.512     32.512
T12            42.029     62.332     92.009
T16            34.237     29.919     17.457
T18            33.707     18.641      3.000
T25            28.568     43.624     58.163
T37            33.089     17.113      1.000
【００７８】
各種データ２
投影距離      5400(E)
(T)        (M)        (W)
焦点距離       49.654     43.468     37.270
ズーム比        1.332
半画角ω       24.377     27.367     31.119
Fナンバー       4.120      3.992      3.880
群間隔
T4             23.374     23.374     23.374
T8             43.162     43.162     43.162
T12            27.505     47.809     77.486
T16            34.237     29.919     17.457
T18            33.707     18.641      3.000
T25            28.568     43.624     58.163
T37            33.089     17.113      1.000
【００７９】
各種データ３
BF            102.323
レンズ全長    422.000
最大像高       22.500
【００８０】
各種データ４
フォーカス群移動量
Gr1b
(T)        (M)        (W)
5400(E)        0.000      0.000      0.000
1500(K)        3.874      3.874      3.874
Gr1c
(T)        (M)        (W)
5400(E)        0.000      0.000      0.000
1500(K)       14.524     14.524     14.524
移動量比        3.749
【００８１】
各種データ５
各レンズ群の焦点距離
f1a      -522.488
f1b       -83.432
f1c      1277.088
f2        583.986
f3        202.955
f4       -380.490
f5        336.948
f6        181.051
(K)         (E)
f1        -94.092     -94.527
φ1        -0.011      -0.011
【００８２】
【表１】
0006485302.tif 000002
【００８３】
【表２】
0006485302.tif 000003
【００８４】
【表３】
0006485302.tif 000004
【００８５】
【表４】
0006485302.tif 000005
【００８６】
【表５】
0006485302.tif 000006
【符号の説明】
【００８７】
ＺＬ    ズームレンズ（投射レンズ）
Ｇｒｋ    第ｋレンズ群（ｋ＝１，２，…，６）
Ｇｒ１ａ    第１ａレンズ群（副群）
Ｇｒ１ｂ    第１ｂレンズ群（副群）
Ｇｒ１ｃ    第１ｃレンズ群（副群）
Ｌｊ    第ｊレンズ（ｊ＝１，２，３，…）
ＳＴ    開口絞り
ＰＪ    プロジェクター
ＰＲ    プリズム
ＳＣ    スクリーン面
ＩＭ    画像表示面（縮小共役側像面）
１    光源
２    照明光学系
３    反射ミラー
４    画像表示素子（画像形成素子）
５    制御部
６    アクチュエーター
ＡＸ    光軸
【図１】
0006485302.tif 000007
【図２】
0006485302.tif 000008
【図３】
0006485302.tif 000009
【図４】
0006485302.tif 000010
【図５】
0006485302.tif 000011
【図６】
0006485302.tif 000012
【図７】
0006485302.tif 000013
【図８】
0006485302.tif 000014
【図９】
0006485302.tif 000015
【図１０】
0006485302.tif 000016
【図１１】
0006485302.tif 000017
【図１２】
0006485302.tif 000018
【図１３】
0006485302.tif 000019
【図１４】
0006485302.tif 000020
【図１５】
0006485302.tif 000021
【図１６】
0006485302.tif 000022
【図１７】
0006485302.tif 000023
【図１８】
0006485302.tif 000024
【図１９】
0006485302.tif 000025
【図２０】
0006485302.tif 000026
【図２１】
0006485302.tif 000027
【図２２】
0006485302.tif 000028
【図２３】
0006485302.tif 000029
【図２４】
0006485302.tif 000030
【図２５】
0006485302.tif 000031
【図２６】
0006485302.tif 000032
【図２７】
0006485302.tif 000033
【図２８】
0006485302.tif 000034
【図２９】
0006485302.tif 000035